(57)【要約】【課題】脱穀装置において、唐箕フアン１３の唐箕軸２４に、選別風の吸引口２９ａに隣接するようにして入力プーリ２６を設けるにあたり、入力プーリ２６で吸引口２９ａを塞がないようにする。【解決手段】唐箕フアン１３が設けられる唐箕軸２４に、選別風吸引口２９ａの外側に隣接して大径の入力プーリ２６が設け、該入力プーリ２６の外径を吸引口２９ａよりも大径にしてリム２６ａの内周に形成される開口の内径を吸引口２９ａよりも大径にし、これによって、吸引口２９ａが、隣接する入力プーリ２６によって塞がれてしまうことが解消されて効率のよい選別風の吸引がなされることになる。【選択図】図２
2007252296.tif 000002
【特許請求の範囲】
【請求項１】
脱穀された穀粒を選別する選別室に選別風の起風をする唐箕フアンを設けると共に、脱穀部ケース側板に唐箕フアンによって起風される選別風を吸引するための吸引口を開設してなる脱穀装置において、前記唐箕フアンの唐箕軸に、吸引口の外側に隣接して伝動プーリを設けるにあたり、該伝動プーリの外径を吸引口よりも大径にして、伝動プーリに前記吸引口よりも大径の開口を形成したことを特徴とする脱穀装置。
【請求項２】
唐箕軸の一端部は、吸引口を跨ぐようにして脱穀ケース側板に設けた支持ブラケットに設けた軸受部に支持されるものとし、支持ブラケットには、軸受部に近接する状態でテンションプーリの揺動支軸を設けたことを特徴とする請求項１記載の脱穀装置。
【発明の詳細な説明】
【技術分野】
【０００１】
本発明は、米や麦等の穀粒の脱穀処理をするための脱穀装置の技術分野に属するものである。
【背景技術】
【０００２】
一般に、この種脱穀装置には、脱穀ケース側板に設けた吸引口から吸引した空気を選別風に起風するための唐箕ファンが設けられているが、このような唐箕ファンを回転するため設けられる唐箕軸は脱穀ケース側板に回動自在に支持されると共に、エンジン側からの動力を入力したりするための伝動プーリが脱穀ケース側板の外側に位置して吸引口と隣接する状態で設けられることになる（例えば特許文献１参照）。
【特許文献１】特許第３４７６６７３号公報
【発明の開示】
【発明が解決しようとする課題】
【０００３】
ところが前記従来のものは、伝動プーリが脱穀ケースに形成の吸引口と略同じ大きさであったため、どうしても吸引口が隣接する伝動プーリで塞がれる状態となって選別風の吸引性能が低下するという問題がある。そのうえ伝動プーリに懸回される伝動ベルトを緊張するためのテンションプーリは、唐箕軸の軸受部に近い位置を揺動支軸として設けることがテンション効率等を考慮したとき好ましいが、唐箕軸軸受部の周りは吸引口が開設されているためこの近傍に設けることができず、この結果、唐箕軸軸受部から遠い位置に揺動支軸を設けざるを得ず、この結果テンション効率が悪いだけでなく、テンションアームを長いものにせざるを得ないという問題もあり、これらに本発明が解決せんとする課題がある。
【課題を解決するための手段】
【０００４】
本発明は、上記の如き実情に鑑みこれらの課題を解決することを目的として創作されたものであって、請求項１の発明は、脱穀された穀粒を選別する選別室に選別風の起風をする唐箕フアンを設けると共に、脱穀部ケース側板に唐箕フアンによって起風される選別風を吸引するための吸引口を開設してなる脱穀装置において、前記唐箕フアンの唐箕軸に、吸引口の外側に隣接して伝動プーリを設けるにあたり、該伝動プーリの外径を吸引口よりも大径にして、伝動プーリに前記吸引口よりも大径の開口を形成したことを特徴とする脱穀装置である。
請求項２の発明は、唐箕軸の一端部は、吸引口を跨ぐようにして脱穀ケース側板に設けた支持ブラケットに設けた軸受部に支持されるものとし、支持ブラケットには、軸受部に近接する状態でテンションプーリの揺動支軸を設けたことを特徴とする請求項１記載の脱穀装置である。
【発明の効果】
【０００５】
請求項１の発明とすることにより、吸引口に隣接して設けられる伝動プーリに、吸引口よりも大径の開口が形成されることになって、吸引口が隣接する伝動プーリに塞がれてしまうことが解消されて効率のよい選別風の吸引がなされることになる。
請求項２の発明とすることにより、テンションプーリの揺動支軸位置が軸受部に近いものになってテンションの向きが適正になりテンション効率の向上が図れると共に、テンションプーリを伝動プーリに近づけることが、テンションアームを長くしないでできることになる。
【発明を実施するための最良の形態】
【０００６】
次に、本発明の実施形態について、図面に沿って説明する。図中、１はコンバインであって、該コンバイン１は、茎稈を刈取る前処理部２と、刈取茎稈から穀粒を脱穀し、この穀粒を選別する脱穀部（脱穀装置）３と、選別済みの穀粒を貯溜する穀粒タンク４と、脱穀済みの排稈を処理する後処理部５と、各種の操作具が設けられる操作部６と、クローラ式の走行部７とを備えて構成されていること等は何れも従来どおりである。
【０００７】
前記脱穀部３は、扱胴８を内装する扱室（図示せず）と、処理胴９を内装する処理室（図示せず）と、脱穀された穀粒を選別する選別室（図示せず）と、扱室に沿って茎稈を搬送する脱穀フィードチェン１０と、脱穀済みの排藁を後処理部５に向けて搬送する排藁搬送装置１１とをユニット化して構成され、機体組立工程において機体フレーム１２上に搭載される。
【０００８】
選別室には、選別風を起風する唐箕（圧風）ファン１３、穀粒を揺動選別する揺動選別体１４、排塵風を起風する吸引ファン１５、選別処理された一番物、二番物の搬送をする一番物搬送体１６、二番物搬送体１７、二番物選別用ファン１８、後処理部５を構成するカッタ１９、一番物搬送体１６で搬送された一番物を穀粒タンク４に搬送供給するオーガ２０などが設けられて構成されている。
【０００９】
２１は操作部６の下方に配設されるエンジンであって、該エンジン２１からの動力は、ギアケース２２に入力され、ＨＳＴポンプ（斜板式可変容量油圧ポンプ）２３を介して前処理部２およびフィードチエン１０に動力伝動されるものと、ＨＳＴポンプ２３を経由することなく唐箕フアン１３を回転するための唐箕軸２４に動力伝動されるものとに分配されている。
【００１０】
前記唐箕軸２４は脱穀部ケースの側板２５に支持されることになるが、該側板２５から突出する唐箕軸２４の一方の軸端部（機体外側端部）２４ａにはギアケース２２に設けた出力プーリ２２ａに動力伝動される内側の入力プーリ（本発明の伝動プーリに相当する）２６と外側の第一出力プーリ２７とが設けられ、他端部（穀粒タンク４側端部）２４ｂには第二出力プーリ２８が設けられている。そして第一出力プーリ２７は、ベルト伝動によって前記一番物搬送体１６、二番物搬送体１７、二番物選別用フアン１８、揺動選別体１４、吸引フアン１５そしてカッタ１９に動力伝動するよう構成されている。一方、第二出力プーリ２８は、ベルト伝動によって扱胴８および処理胴９に動力伝動するようになっている。尚、走行部７への動力伝動機構については汎用のものを採用しているのでここでは記載を省略している。
【００１１】
唐箕軸一端部２４ａには、内側の入力プーリ２６よりも内側に位置して円形状の吸引口２９ａが形成された吸引板２９が配設されるが、該吸引板２９は脱穀ケース側板２５に取付け固定される。さらに吸引板２９と入力プーリ２６とのあいだには長板状に形成される支持ブラケット３０が配設されているが、該支持ブラケット３０は、吸引口２９ａを直径状に跨ぐ状態で両端部が吸引板２９を越えた位置において脱穀ケース側板２５に取付け固定される。支持ブラケット３０には、唐箕軸一端部２４ａを回動自在に支持するための軸受部３１が設けられると共に、第一出力プーリ２７に懸回される伝動ベルト３２を緊張させるためのテンションプーリ３３が設けられたテンションアーム３３ａの揺動支軸３３ｂが軸受部３１に隣接する状態で軸支されている。尚、３３ｃはテンションプーリ３３にテンションを付与するための弾機、３４は唐箕軸他端部２４ｂを脱穀ケース側板２５に軸支するための軸受部である。
【００１２】
前記入力プーリ２６は吸引口２９ａに隣接する状態で配されることになるが、ベルト溝が形成されるリム２６ａと、唐箕軸２４に固定するためのボス２６ｂと、該ボス２６ｂおよびリム２６ａとを連結するためのアーム２６ｃとを備えて構成されている。そして、入力プーリ２６には、リム２６ａ、ボス２６ｂ、アーム２６ｃによって囲繞される部位が開口（連通口）となっているが、リム２６ａは内径が吸引口２９ａの内径よりも大径になっており、これによって入力プーリ２６を通して吸引口２９ａが視認できるようになっている。
また、第一出力プーリ２７は、入力プーリ２６を大径にした分、小径になっており、これによって、第一出力プーリ２７の外径は、吸引口２９ａよりも小径になっていて、第一出力プーリ２７の外周から吸引口２９ａを視認できるようになっている。因みに、入力プーリ２７を内側に配し、第一出力プーリ２７を外側に配しているが、これはベルト交換や後処理部の着脱の際に、第一出力プーリ２７のベルトを外すことがあり、この場合において、プーリ配置が逆であるとベルトの着脱作業に支承をきたして作業性が損なわれてしまうことになるが、本実施の形態ではそのようなことがないよう配慮されている。
【００１３】
叙述の如く構成された本発明の実施の形態において、前記唐箕フアン１３が設けられる唐箕軸２４には、選別風吸引口２９ａの外側に隣接して大径の入力プーリ２６が設けられるが、該入力プーリ２６の外径を吸引口２９ａよりも大径にしてリム２６ａの内周に形成される開口の内径を吸引口２９ａよりも大径にし、これによって、吸引口２９ａが、隣接する入力プーリ２６によって塞がれてしまうことが解消されて効率のよい選別風の吸引がなされることになる。
【００１４】
しかもこのものでは、唐箕軸の一端部を支持する軸受部３１は、吸引口２９ａを跨ぐようにして脱穀ケース側板２５に設けた支持ブラケット３０に設けられ、この支持ブラケット３０に、軸受部３１に近接する状態でテンションプーリ３３の揺動支軸３３ｂが設けられている結果、テンションプーリ３３の揺動支軸３３ｂ位置が軸受部３１に近いものになってテンションの向きが適正になりテンション効率の向上が図れると共に、テンションプーリ３３を、テンションを付与するための伝動ベルト３２が懸回される第一出力プーリ２７に近づけることが、テンションアームを長くしないでできることになる。
【図面の簡単な説明】
【００１５】
【図１】コンバインの全体側面図である。
【図２】脱穀部の動力伝動形を示す側面図である。
【図３】コンバインの動力伝動系を示す動力回路図である。
【図４】（Ａ）は唐箕フアン部位の正面図、（Ｂ）は唐箕フアン部位の側面図である。
【図５】（Ａ）は唐箕フアン部位の斜視図、（Ｂ）は要部拡大正面図である。
【図６】唐箕軸一端部位の拡大平面図である。
【符号の説明】
【００１６】
３    脱穀部（脱穀装置）
１３    唐箕ファン
２４    唐箕軸
２５    脱穀ケース側板
２６    入力プーリ（伝動プーリ）
２９ａ  吸引口
３０    支持ブラケット
３３    テンションプーリ
３３ｂ  揺動支軸
【図１】
2007252296.tif 000003
【図２】
2007252296.tif 000004
【図３】
2007252296.tif 000005
【図４】
2007252296.tif 000006
【図５】
2007252296.tif 000007
【図６】
2007252296.tif 000008